(57)【特許請求の範囲】
【請求項１】
撮影レンズからの光束をファインダ観察系に反射するためのミラーダウン位置と、撮影レンズからの光束から退避するミラーアップ位置との間を移動可能なミラー部材と、
絞り駆動を制御する絞り駆動手段と、
前記ミラーダウン位置と、前記ミラーアップ位置との間の前記ミラー部材の駆動を制御するミラー駆動手段と、
モーターによって回転駆動され、第１の領域において、前記ミラー部材を前記ミラーダウン位置から前記ミラーアップ位置へと駆動するための前記ミラー駆動手段の駆動制御と、前記絞りを開放位置から設定位置まで絞り込ませるための前記絞り駆動手段の駆動制御とを並行して動作させるカム部材と、
プレビュー動作を起動するスイッチ手段と、
前記カム部材が回転駆動され第１の領域に関する制御動作を実行する際に、前記スイッチ手段が操作されている場合は、前記絞り駆動手段による絞り駆動を可能としたまま前記ミラー駆動手段による前記ミラー部材の駆動を禁止し、前記スイッチ手段が操作されていない場合は、前記絞り駆動手段による絞り駆動と並行して前記ミラー駆動手段による前記ミラー部材の駆動を可能とする切換手段と
を具備することを特徴とするプレビュー機構を有するカメラ。
【請求項２】
請求項１に記載のプレビュー機構を有するカメラにおいて、
前記ミラー駆動手段は、前記カム部材が回転駆動され前記第１の領域に関する制御動作を実行する際に、該カム部材により駆動される第１駆動手段と、該第１駆動手段の駆動に連動して駆動され前記ミラー部材をミラーダウン位置からミラーアップ位置へ駆動する第２駆動手段とを具備し、
前記切換手段は、前記第２駆動手段による前記ミラー部材の駆動を禁止することで、前記ミラー駆動手段による前記ミラー部材の駆動を禁止する
ことを特徴とするプレビュー機構を有するカメラ。
【請求項３】
請求項２に記載のプレビュー機構を有するカメラにおいて、
前記切換手段は、前記スイッチ手段を操作した場合に、前記第２駆動手段の前記ミラー部材へ当接する当接部の駆動軌跡中に侵入して該当節部の前記ミラー部材への当接を禁止することで、前記ミラー駆動手段による前記ミラー部材の駆動を禁止する係止部材であること
を特徴とするプレビュー機構を有するカメラ。
【請求項４】
請求項１乃至３に記載のプレビュー機構を有するカメラはさらに、
前記切換手段による前記ミラー駆動手段の前記ミラー部材の駆動の禁止を解除する規制解除手段を具備し、
前記カム部材は、さらに、前記第１の領域とは異なる第２の領域において、前記ミラー部材をミラーアップ位置からミラーダウン位置へと駆動するための前記ミラー駆動手段の駆動制御と、前記絞りを設定位置から開放位置まで戻すための前記絞り駆動手段の駆動制御と、前記規制解除手段による前記ミラー駆動手段による前記ミラー部材の駆動の禁止の解除とを並行して動作させる
ことを特徴とするプレビュー機構を有するカメラ。
【発明の詳細な説明】
【０００１】
【発明の属する技術分野】
本発明は、被写界深度を確認するため撮影レンズの絞りを所定の絞り値まで絞り込むプレビュー機構を有するカメラに関するものである。
【０００２】
【従来の技術】
従来の一眼レフカメラでは、クイックリターンミラー（以下、単にミラーと称す）がレリーズ待機位置（即ち、撮影レンズからの光束をファインダ観察系に反射するための下降位置）で保持されているときには、絞りは開放状態で保持されている。一方、レリーズ釦が押下された後、フィルムに対する露光動作を開始する前にミラー駆動機構によってミラーを上昇させるとともに絞り込みレバーを含む絞り込み機構によって絞りを設定された絞り値まで絞り込むよう構成されている。つまり、露光動作開始まではミラーを下降位置に保持するとともに絞りを開放状態に保持する機構を設け、その保持状態を露光動作直前に解除して、ミラーの上昇動作と絞りの絞り込み動作とをほぼ同時に行うようにしている。
【０００３】
一方、撮影者がファインダ内で被写界深度を確認する機能として所謂プレビュー機能がある。このプレビュー動作を行うためには、ミラーを下降位置に保持したまま絞りの絞り込みのみを行う必要がある。
このプレビュー機構として、カメラボディに設けられた操作部材を手動で操作することによって絞り込みレバーのみを（ミラー駆動機構を動作させずに）動作させてプレビュー動作を行う構成のものがある。
【０００４】
また、特開平７−４３７７４号公報に示すように、シャッター、ミラー及び絞り用のチャージカム部材に連動するレバーを設け、チャージカム部材を、ミラーの跳ね上げ（上昇）動作を禁止する跳ね上げ禁止位置と、ミラーの跳ね上げ動作を許容する跳ね上げ許容位置とに位置設定可能に構成し、プレビュー動作時には、チャージカム部材を跳ね上げ禁止位置に設定してミラーを下降位置に保持したまま、絞り込み動作を行う構成のプレビュー機構がある。
【０００５】
さらに、特開平１０−１４８８６５号公報に示すように、モータによって回転される一回転カムギアを、正方向の一回転により絞り込み、ミラー上昇、シャッタ幕走行、ミラー下降、絞り復帰といった一連の動作をシーケンシャルに生じるように構成するとともに逆方向の回転の最初に絞り込み動作を生じるように構成し、プレビュースイッチを操作することにより一回転カムギアを、ミラーが動作されずに絞り込み動作のみが行われる範囲で逆転させる構成のプレビュー機構が開示されている。
【０００６】
これらは即ち、一つのカム部材の作動角のある範囲にミラーアップを禁止する領域、或いは絞り込み動作のみを行うための作動角領域を設け、カム部材の回転動作によってシーケンシャルにミラーアップを禁止した絞り込みのみの動作を行うプレビュー機構である。
【０００７】
【発明が解決しようとする課題】
しかしながら、上記の如き従来のカメラが有する手動で絞り込みを行うプレビュー機構の場合、絞り込みは行えても撮影者が所望しまさに撮影しようとしている絞り値で固定することが難しく、またその値がわからない。これでは、本来の撮影者がその絞り値で撮影を行うためのプレビュー動作としての意味が薄れてしまう。
【０００８】
また、一般的には絞り込みに連動しその絞り込みの量をフォトインタラプタなどの出力からモニターすることによってレリーズ時の絞り制御を行っているが、仮にそのモニターを行って所定の位置まで手動で絞り込まれた時に、その絞り値に固定することも考えられるが、操作釦などの操作の速い遅いといった操作方法の違いによって所定の絞り値に対する実際の絞りの停止位置に誤差が生じてしまう。
【０００９】
一方、チャージカム部材や一回転カムギア等を用いる構成のプレビュー機構を備えたカメラでは、カム上にミラーアップ動作等のその他の動作を行う作動カム領域とは独立して絞り込み動作のみを行う作動角領域を設けているため、通常のレリーズ動作における一連の動作（即ちミラーアップ、絞り込み、シャッタ幕走行、絞り復帰、ミラーダウン、シャッタチャージ等）が順次に行われることになる。このため、例えば絞り込み動作とミラーアップ動作を同時に行うような、カメラの各撮影動作を並行して作動させる場合と比べて一連の撮影シーケンスに要する時間が長くなり、連続撮影時には必然的に撮影駒速が遅くなるといった問題点があった。
【００１０】
また、カム上での各動作の作動領域を分けることによって、各動作に割り振られるカムの作動角が小さくなり、結果としてカム曲線が立ったカムになることでカムにかかる加重のピ−ク値があがってしまう。このため、より強度が高い材質を用いる必要が生じ、加工性やコストの点で不利となる。
本発明は、上記のような問題点に鑑み、部品の加工性が良く安価で、正確な絞り込み制御が可能な、また連続撮影時に撮影駒速を高速にすることが可能なプレビュー機構を有するカメラを提供することを目的とする。
【００１１】
【課題を解決するための手段】
上記目的のため請求項１に係る本願発明は、撮影レンズからの光束をファインダ観察系に反射するためのミラーダウン位置と、撮影レンズからの光束から退避するミラーアップ位置との間を移動可能なミラー部材と、絞り駆動を制御する絞り駆動手段と、前記ミラーダウン位置と、前記ミラーアップ位置との間の前記ミラー部材の駆動を制御するミラー駆動手段と、モーターによって回転駆動され、第１の領域において、前記ミラー部材を前記ミラーダウン位置から前記ミラーアップ位置へと駆動するための前記ミラー駆動手段の駆動制御と、前記絞りを開放位置から設定位置まで絞り込ませるための前記絞り駆動手段の駆動制御とを並行して動作させるカム部材と、プレビュー動作を起動するスイッチ手段と、前記カム部材が回転駆動され第１の領域に関する制御動作を実行する際に、前記スイッチ手段が操作されている場合は、前記絞り駆動手段による絞り駆動を可能としたまま前記ミラー駆動手段による前記ミラー部材の駆動を禁止し、前記スイッチ手段が操作されていない場合は、前記絞り駆動手段による絞り駆動と並行して前記ミラー駆動手段による前記ミラー部材の駆動を可能とする切換手段とを具備するとした。
【００１３】
【発明の実施の形態】
図１は、本発明の実施の形態によるプレビュー機構を備えたカメラの概略的な構成を示すブロック図である。マイクロコンピュータ（以下、ＭＣＵ）１は、各種入力に対して所定のルーチンを実行して各種の出力を行い、種々の機能を実現するものである。
【００１４】
測光回路２は被写体の輝度を測光し、測距回路３は被写体からの光束に基づいて被写体までの距離に関する情報を検出する。また、情報設定回路４は、操作部材により入力された露出制御やフィルム給送に関する撮影モード、露出補正量等を設定する。表示回路５は、測光回路２の出力をもとに演算した露出制御値に関する情報（ＡＥ表示出力）や、測距回路３や情報設定回路４の出力とをもとに演算した表示情報出力により不図示の表示装置に所定の出力を行う。
【００１５】
シーケンス駆動系６は、シーケンスモータ（ＳＱＭ）１３によって駆動されてシーケンススイッチ（ＳＱｓｗ）１４を動作させる。また、シーケンススイッチ１４の信号によってシーケンスソレノイド（ＳＱＳＯ）１５が駆動され、レリーズシーケンスの起動、ミラーアップ動作、ミラーダウン動作、シャッタチャージ動作等を行う。
【００１６】
プレビュー駆動系７は、カメラの外部に設けられて操作されるプレビュースイッチ（ＰＶｓｗ）１６の信号を受け、プレビューマグネット（ＰＶＭｇ）１７に通電して絞り機構のチャージを解除させる。また、その解除動作に連動してミラー係止スイッチ（ＭＫｓｗ）１８が動作される。
給送駆動系８は、シャッタ制御終了後に給送モータ（ＦＭＭ）１９を駆動してフィルムの給送を行うとともに、フィルム終端を検出した際、もしくは不図示の巻き戻しスイッチが操作されたときには、フィルムをパトローネに巻戻す。
【００１７】
絞り制御系９は、レンズの絞り開口径を制御する。つまり、露出制御モ−ドがマニュアルモ−ド以外のとき、図９で後述するように、レリーズ動作が開始して撮影レンズの絞り羽根が絞り込まれる際のスリット板３０５の回転量を絞り制御用フォトインタラプタ３０６によって検出し、所定量（制御する絞り値に対応した回転量）に達した時点でマグネット（ＡＶＭｇ）を備えた絞り制御用ソレノイド２０に通電することによりレンズの絞り羽根を係止する。
【００１８】
ＡＦ駆動系１０は、測距回路３の出力に基づいてＭＣＵ１で演算された結果（デフォーカス量）に応じた駆動量だけＡＦモータ（ＡＦＭ）２１の駆動を行う。シャッタ装置１１は、レリーズ動作開始後、先幕係止用マグネット（以下、先幕マグネット）Ｍｇ１と後幕係止用マグネット（以下、後幕マグネット）Ｍｇ２とに通電してシャッタ幕の係止を行い、ミラーアップ完了後に先幕マグネットＭｇ１への通電を解除して先幕の走行を開始させ、露光秒時に応じたシャッタ制御時間後に後幕マグネットＭｇ２への通電を解除して後幕の走行を行うことによりシャッタ速度の制御を行う。
【００１９】
撮影レンズ１２は、周知のバヨネットマウントによりカメラ本体と結合され、フィルム面とファインダスクリーンとに選択的に被写体像を結像する。その際、撮影レンズがＣＰＵを備えている場合は、カメラボディ側のＭＣＵ１と撮影レンズのＣＰＵが接続され、互いに情報通信可能となる。
図２は、本発明の実施の形態に係るカメラの内部構成の概略的な配置を示す図であり、図１に示す各モータの配置を概略的に示している。
【００２０】
シーケンスモータ１３はスプール室２４とミラーボックス２５の間に配置されている。シーケンス駆動系６の機構部６ａは、巻き上げ側上部からミラーボックス側面にかけて配置され、シーケンスモータ１３の出力軸が連結されている。この機構部６ａは、シーケンスモータ１３の一方向の回転によりミラーアップ駆動、、シャッタ幕走行、ミラーダウン、シャッタチャージの一連の動作を行う。
【００２１】
給送モータ１９は、スプール室２４内に配置されるとともにカメラボディ底部に配置された給送駆動系８にその出力軸が連結されている。そして、給送モータ１９の正転でフィルム巻上げを、逆転で巻き戻しを行う。給送駆動系８の巻上げ伝達系と巻き戻し伝達系の切り替えは、正逆転により公転運動を行う遊星ギアクラッチを用いている。
【００２２】
ＡＦモータ２１は、ミラーボックス２５の下部に設けられており、その回転をバヨネットマウントに設けられた貫通孔に配置された不図示のカップリングを介して撮影レンズ１２側に伝達し、合焦駆動を行う。
図３乃至図８を参照して本実施の形態における駆動機構について説明する。
図３は、本発明の実施の形態によるプレビュー機構を備えたカメラのシーケンス駆動系の、レリーズ待機状態時の様子を示す平面図である。また、図５は、本願発明の実施の形態によるプレビュー機構を備えたカメラのシーケンス駆動系の、ミラーアップ完了状態の様子を示す平面図である。
【００２３】
通常の撮影時におけるシーケンス駆動系については、シーケンスモータ１３は、ミラーアップ／絞り駆動区間（第１区間）、及びミラーダウン／シャッタチャージ区間（第２区間）の２区間に分割して動作するよう構成されている。また、チャージカムギア１０１と一体に形成されたチャージカム１０２は、回転軸１０２Ｘ回りに基準位置に対して回転角０°〜９０°の上記第１区間と、残りの２７０°（即ち、基準位置に対して回転角９０°〜３６０°）の上記第２区間とを回転して基準位置に戻るように構成されている。このチャージカム１０２の１回転でレリーズ動作の１シーケンスを終了するようになっている。
【００２４】
先ず、係止レバー１０３は、引張りバネ１０４によって回転軸１０３Ｘ回り時計方向に付勢され、解除レバー１０５は、引張りバネ１０７によって回転軸１０３Ｘ回り反時計方向に、また係止爪１０８は、引張りバネ１０９によって回転軸１０８Ｘ回り時計方向にそれぞれ付勢されている。
図３に示すレリーズ待機状態時には、チャージカム１０２の回転位置は基準位置（回転角０°であり図３に示す状態）となっており、引張りバネ１０７によって付勢された解除レバー１０５の付き出し部１０５ａによって係止レバー１０３の受け部１０３ｂが押されている。このため、係止レバー１０３は、引張りバネ１０４の付勢力に抗して左旋し、係止部１０３ａがチャージカム１０２のチャージカム溝部１０２ｃより退避した状態にある。よって、チャージカム１０２は回転可能状態にある。またこの時、シーケンススイッチ１４は、その切片が受け部１０３ｂに押されてオフしている。
【００２５】
次に、不図示のレリーズ釦の全押し操作に伴ってレリーズ信号が発生すると、シーケンスモータ１３が起動し、モータギアヘッド１１１が時計方向に回転し始める。この回転は、ギアヘッド１１１から減速ギア１１２〜１１５を介してチャージカムギア１０１に伝達され、チャージカム１０２が反時計方向に第１区間の回転を開始する。
【００２６】
チャージカム１０２の反時計方向の回転により、解除レバー１０５に対して回転軸１０６Ｘ回りに回転可能に軸支されたローラ１０６がチャージカム１０２のカム部１０２ａで押され、解除レバー１０５を右旋させて、係止爪１０８の係止部１０８ａに解除レバーの係止部１０５ｂがセットされる。
解除レバー１０５の右旋に伴って右旋可能となった係止レバー１０３の係止爪部１０３ａは、チャージカム１０２に設けられた第１区間係止用の溝部１０２ｂに落ち込んでストッパ機能を果たすとともに、シーケンススイッチ１４をオンしてシーケンスモータ１３の駆動を係止させている。この状態は、チャージカム１０２の第１区間の動作が終了した直後のミラーアップ完了の状態であり、図５に示す状態である。また、この状態はシャッタの作動（シャッタ幕の走行）が終了するまで保持される。
【００２７】
続いて、図５に示すミラーアップ完了状態から図７に示すシャッタチャージ完了の状態を経て図３に示すレリーズ待機状態に至る、シーケンスモータの第２区間の回転によるシーケンス制御系の動作について説明する。
シーケンス制御系６は、シャッタ幕の走行を行い、その後、ミラーダウンのために係止レバー１０３によるチャージカム１０２の係止を解除する。この係止レバー１０３の解除は、シーケンスソレノイド１５に通電することにより行う。つまり、ソレノイド１５に通電することにより、係止爪１０８を時計方向に付勢している引張りバネ１０９の付勢力よりも大きな力でソレノイドの鉄心１５ａが押し出され、これによって、係止爪１０８が左旋し解除レバー１０５の係止を解除する。すると、解除レバー１０５は引張りバネ１０７により反時計方向に回転するが、引張りバネ１０７の付勢力は、係止レバー１０３を付勢するシーケンススイッチ１４の付勢力と引張りバネ１０４の付勢力の和より強く設定されているため、係止レバー１０３を伴って回転する。このため、係止レバー１０３によるチャージカム１０２の係止は解除されて回転可能となるとともに、シーケンススイッチ１４がオフする。
【００２８】
シーケンススイッチ１４がオフすると、シーケンスモータ１３が回転してチャージカム１０２が第２区間の回転を開始し、ミラーダウン、シャッタチャージの動作を開始する。
この第２区間においては、チャージカム１０２のカム部１０２ｅによってローラ１０６を押し、上記第１区間と同様に解除レバー１０５を係止爪１０８にセットする。また、係止レバー１０３の係止爪部１０３ａは、チャージカム１０２が図５に示す状態から２７０°回転した基準位置においてチャージカム１０２上のチャージカム溝部１０２ｃに落ち込み、第１区間同様にチャージカム１０２の回転を停止させる。尚、この第２区間の動作終了直前に、後述する図７に示すシャッタチャージ完了状態を経る。
【００２９】
第２区間の動作が終了したとき、シーケンススイッチ１４がオンすることにより、シーケンスモータ１３が停止し、その後ある時間ショ−トブレ−キを掛けた後、シーケンスソレノイド１５に通電して係止レバー１０３の係止爪部１０３ａをチャージカム溝部１０２ｃより解除する。また、係止レバー１０３の解除タイミングはシーケンスモータ１３の作動完了時に行われ、チャージカムは常に次の作動に対して待機状態となっている。この状態が、上述した図３に示す状態である。
【００３０】
一方、第２区間の動作終了直前に、図７に示すように、チャージカム１０２のカム部１０２ｄには、シャッタチャージレバー１１６上に設けられたベアリング１１７が当接する。シャッタチャージレバー１１６の一端は不図示の基板に回転軸１１６Ｘ回りに回転可能に軸支され、この回転軸１１６Ｘ回りの回転により、他端部に配設されたロ−ラ−１１８がシャッタ側チャージレバー１１９を駆動するよう構成されている。つまり、チャージカム１０２の反時計方向の回転による第２区間の左旋に伴い、チャージカム１０２のカム部１０２ｄが最大リフト領域に来ることによってシャッタチャージレバー１１６をストロークＬ２だけ右旋させ、シャッタ側チャージレバー１１９を駆動してシャッタの駆動羽根（先幕及び後幕）のセット（即ち、シャッタチャージ）を行っている。
【００３１】
また、シャッタチャージレバー１１６には係合部１１６ａが設けられ、図１０で後述するリセットレバー３００の係合部３００ａに当接しており、シャッタチャージレバー１１６の右旋に伴いリセットレバー３００を右旋させる。図７に示す状態では、シャッタチャージレバー１１６の係合部１１６ａがリセットストロ−クの最大位置まで右旋されており、図１０に示すリセットレバー３００を右旋している。
【００３２】
チャージカム１０２は、図７に示す状態からさらに左旋されることで係止レバー１０３の係止爪部１０３ａがチャージカム溝部１０２ｃに落ち込み、シーケンススイッチ１４がオンすることにより、モータを停止させ、その後ソレノイドに通電することでレリーズ待機状態である基準位置に復帰する。
次に、ミラーのアップダウン動作を行うための構成について図４，図6，図８を用いて説明する。
【００３３】
図４は、チャージカム１０２が図３に示す基準位置にあるときの、ミラー駆動レバーの状態を示す図である。ミラー駆動レバー１２１の一端は、不図示の基板に回転軸１２１Ｘ回りに回転可能に軸支されるとともに、チャージカム１０２に回転可能に軸支されたミラー駆動用のローラー１２０が、ミラー駆動レバー１２１のカム部１２１ａに当接するように配置されている。また、ミラー駆動レバー１２１の他端部１２１ｂは、図９で後述するミラー駆動縦レバー２０１の係合部２０１ａと当接しており、チャージカム１０２の第１区間の回転によるミラー駆動レバー１２１の右旋に伴ってミラー駆動縦レバーを駆動する。
【００３４】
図６は、図５に示すミラーアップ完了状態におけるミラー駆動レバー１２１の作動状態を示す図である。チャージカム１０２の第１区間の回転により、ローラー１２０が回転軸１０２Ｘ回りに９０°回転され、ミラー駆動レバー１２１のカム部１２１ａの最大リフト領域に来ることで、ミラー駆動縦レバー２０１のストロ−クＬ１だけ右旋される。
【００３５】
図８は、図７に示すシャッタチャージ完了状態におけるミラー駆動レバー１２１の状態を示す図である。この状態は、ローラー１２０とミラー駆動レバー１２１のカム部１２１ａは接しておらず、フリ−の状態である。
次に、図９〜図１７を用いてミラーアップ、絞り駆動、ミラー係止動作を行う構成、及びその動作について説明する。
【００３６】
図９は、ミラー駆動部、絞り制御部、ミラー係止機構部の動作前の初期状態を示す図である。図４に示すようなシーケンス駆動系のミラー駆動レバー１２１の先端部１２１ｂは、不図示の基板に回転可能に配置されているミラー駆動縦レバー２０１の係合部２０１ａと係合しており、チャージカム１０２の第１区間の回転に伴ってミラー駆動縦レバー２０１を右旋する。ミラー駆動縦レバー２０１、絞り復帰レバー２０２、絞りレバー２０３の３つのレバーは、不図示の基板に同軸上に軸支されており、それぞれ引張りバネ２０４，２０５によって左旋方向に付勢され、制限ピン２０６に当接して初期位置に位置決めされている。
【００３７】
ミラー２０７は、レリーズ前の上記初期位置においては、不図示のフィルム面前方に、撮影光路に対して４５°傾斜して配設されている。このミラー２０７は、回転軸２０８回りに回転可能に軸支されており、不図示のミラーダウンバネにより右旋方向に付勢されている。また、ミラー２０７の側面にはミラー駆動用のピン２０９が設けられており、ミラー駆動縦レバー２０１の一端に配設されたミラー押し上げレバー２１０の作動軌跡内に突出している。また、このミラー押し上げレバー２１０は、バネ２１３によって図の右旋方向に回転可能に付勢されている。そして、前述の第１区間の作動に伴ってミラー駆動縦レバー２０１が右旋することにより、ミラー押し上げレバー２１０によってミラー駆動ピン２０９が押し上げられて、可動ミラー２０７が上昇する。
【００３８】
また、ミラー押し上げレバー２１０には、押し上げレバー係止ピン２１２が配設されている。
一方、ミラー駆動縦レバーの右旋に伴って絞り復帰レバー２０２も右旋する。この絞り復帰レバー２０２と絞りレバー２０３との間には絞り駆動バネ２１１が掛けられており、この絞り駆動バネ２０３を介してミラー押し上げレバー２１０の右旋に伴って絞りレバー２０３も右旋していく。絞りレバー２０３の一端２０３ａには不図示の撮影レンズの絞りレバーが当接しており、ボディ側の絞りレバー２０３の右旋に伴って撮影レンズの絞り羽根を徐々に絞り込んでいく。また、絞りレバー２０３の他の一端に設けられたギア部２０３ｂは、増速ギア３０１〜３０３を介して絞り制御用のラチェットギア３０４、及び絞り制御用のスリット板３０５に噛み合っており、絞り制御用のフォトインタラプタ３０６より得られるエンコ−ダ出力（パルス数）が設定絞りに応じた出力に一致した時点で、絞り制御用の係止爪３０７によってラチェットギア３０４を係止することによって絞り制御を行う。
【００３９】
この絞り制御用の係止爪３０７は、不図示の基板に回転可能に軸支され、一端にラチェットを係止するための爪部３０７ａを有する。また、係止爪３０７の他端３０７ｃは永久磁石を備えた絞り制御用のソレノイド２０に対して、保持されている。
フォトインタラプタ３０６が設定絞りに応じたパルス数をカウントすると、ソレノイド２０に通電され、係止爪３０７はもう一方の端部３０７ｂに掛けられた係止爪作動バネ３０８の付勢力によって左旋されてラチェットギア３０４を係止し、絞りレバー２０３を設定された絞り値に対応する位置に係止する。
【００４０】
また、絞り制御用の係止爪３０７は、係止爪をリセットするためのリセットピン３０９を有しており、図１０で後述するリセット動作の際に絞りリセット用のスライドレバー３１４の引っかけ部３１４ｃによってリセットピン３０９を引き上げ、係止爪３０７を右旋することによってソレノイド２０の永久磁石に吸着する。
【００４１】
一方、ミラー駆動縦レバー２０１の一端（回転軸に対して係合部２０１ａと反対側の端部）にはカム部２０１ｂが設けられており、シャッタレリーズレバー２２０の先端部に回転可能に軸支されたロ−ラ−２２１が当接している。このシャッタレリーズレバー２２０は、バネ２２２によって常に右旋方向に付勢されており、ミラーアップ動作時にカム部２０１ｂによって左旋されることによってシャッタレリーズレバー２２０に係合するシャッタ側の係止レバー（シャッタ幕をチャージする不図示の機構）をレリーズしている。
【００４２】
ミラー係止機構部の構成であるミラー係止のためのスライドレバー５０１は、不図示の基板に上下方向に配設されたスライド軸５１０ａ，５１０ｂが嵌入するスライド溝５０１ｃを有し、このスライド溝５０１ｃとスライド軸５１０ａ，５１０ｂで決まる範囲内を上下に移動可能になっている。そして、通常のレリーズ動作時には、後述するプレビュー駆動レバー４０６の先端部の係止部４０６ｃによってスライドストロ−ク下端方向に移動されて保持されている。この時、ミラー係止スイッチ１８は、スライドレバー５０１の一端にあるスイッチ動作部５０１ｂによりオ−プン（Ｈｉ）させられる。
【００４３】
また、上記スライド軸５１０ａには、その軸中心に回転可能なミラー係止レバー５０３も配設される。このミラー係止レバー５０３は、係止動作用のスライドカム部５０３ａを有しており、ミラー係止用のスライドレバー５０１が上下のスライド動作を行った際に、スライドレバー５０１に配設されたスライドカムピン５０２よって左右方向に揺動する。
【００４４】
ミラー係止用のスライドレバー５０１の端部にはバネ掛け部５０１ｄが設けられるとともに、ミラー係止レバー５０３に設けられたバネ掛け部５０３ｂとの間にスライドバネ５０４が掛けられており、常に上方へスライドさせる方向へ保持されている。
ミラー係止レバー５０３の先端部は９０゜に折り曲げられたフック５０３ｃが形成され、スライドレバー５０１が上昇してミラー係止レバー５０３が右旋した時にミラー押し上げレバー２１０に配設された押し上げレバー係止ピン２１２を抱え込むようにフック５０３ｃがセットされる。これにより、ミラーの上昇が抑止される。
【００４５】
図１０は、絞りリセット機構部、プレビュー機構部の動作前の初期状態図を示す図である。絞り込んだ絞りを復帰させるために用いるリセットレバー３００は、不図示の基板に回転可能に軸支されるとともに、一端が不図示の基板に掛けられている戻しバネ３１６によって左旋方向に付勢され、不図示の制限部材に押し当てられ保持されている。このリセットレバー３００は、上述のシーケンス駆動系の第２区間の動作によるシャッタチャージレバー１１６の右旋動作により、その係合部１１６ａによって右旋動作が行われる。
【００４６】
リセットレバー３００には、上述の絞りリセット用のスライドレバー３１４の制限部３１４ｂに当接する制限ピン３１０が配設されている。このリセットスライドレバー３１４は、スライド軸３１３ａ，３１３ｂによって上下方向に移動可能に軸支されており、その端部に設けられたバネ掛け部３１４ａとリセットレバー３００に設けられたバネ掛け部３００ａとに掛けられた引張りバネ３１５により、常に上方へ保持され、制限ピン３１０に当接している。
【００４７】
この時、リセットスライドレバー３１４のバネ掛け部３１４ｃとリセットピン３０９との間には、係止爪３０７の係止動作が可能な、且つリセットタイミングが所定のタイミングになるような隙間が確保されている。
また、リセットレバー３００には、プレビュー駆動レバー４０６をリセットするためのリセットピン３１２と、プレビュー係止レバー４０１をリセットするためのリセットピン３１１が設けられている。このプレビュー係止レバー４０１は、不図示の基板に回転可能に軸支されるとともに、一端が不図示の基板に掛けられ、もう一端がレバー４０１のバネ掛け部４０１ａに掛けられているバネ４０３によって、常に右旋方向に付勢されている。このバネ４０３は、バネ掛け部４０１ａを越えた位置でほぼ反転し、プレビュー係止レバー４０１に設けられたバネ掛けピン４０２にその先端が掛けられることによって、Ｕ字状にバネ力が蓄えられた状態で保持される。
プレビューマグネット１７は、プレビュー係止レバー４０１の右旋力を永久磁石によって保持するものである。そして、図１２で後述するプレビュースイッチ１６が操作された際の信号を受けてプレビューマグネット１７へ通電がなされると、レバー４０１の保持が解除されてプレビュー係止レバー４０１は右旋を開始する。
【００４８】
また、プレビュー駆動レバー４０６は、不図示の基板に回転可能に軸支されるとともに、バネ４０７によって常に右旋方向に付勢されている。プレビュー駆動レバー４０６の係止部４０６ａは、プレビュー係止レバー４０１がプレビューマグネット１７によって保持された状態の時にレバー４０１の係止部４０１ｂに係止され、プレビュー駆動レバー４０６が右旋するのを抑制してしている。
【００４９】
即ち、図示したマグネット１７によって保持された状態よりマグネット１７に通電が開始されると、プレビュー係止レバー４０１の解除に伴い、プレビュー駆動レバー４０６も順次解除される構成となっている。
一方、プレビュー駆動レバー４０６は、後述のリセット動作時に上述のプレビュー駆動レバー用のリセットピン３１２に当接するカム部４０６ｂを備え、且つ上述のバネ４０７の付勢力よりも大きな力でカム部４０６ｂを押しやることによって、リセット位置を超えた位置までプレビュー駆動レバー４０６を左旋させる。その時、同時にプレビュー係止レバー用のリセットピン３１１がプレビュー係止レバー４０１を付勢するバネ４０３のＵ字部分に当接し、これを左旋方向に押しやる。するとバネ掛け部４０１ａからバネ４０３のＵ字部分が外れ、Ｕ字部分の付勢力はピン４０２に作用してレバー４０１を左旋させる。尚、このピン４０２にかかる付勢力は、プレビュー係止レバー４０１を右旋させる付勢力よりも大きく設定されている。
【００５０】
プレビュー駆動レバー４０６が前述のリセット位置以上のストロ−クまで左旋させられた状態になるとともに、プレビュー係止レバー４０１が係止位置まで動作されてプレビューマグネット１７に吸着される。
図１１は、ミラー駆動系、絞り制御系の通常撮影時の動作状態を示す図である。
【００５１】
シーケンスカム１０２の９０゜の回転動作によってシーケンス駆動系のミラー駆動レバー１２１の先端部１２１ｂが図の右方向に駆動され、ミラー駆動縦レバー２０１、絞り復帰レバー２０２、及び絞りレバー２０３が右旋されている。これにより、ミラー押し上げレバー２１０によってミラー駆動ピン２０９が押し上げられてミラー２０７が上昇する。ミラー２０７のミラーアップ状態を保持するため、上述のように回転可能に軸支されたミラー押し上げレバー２１０は、バネ２１３の付勢力が加わるオ−バ−ストロ−ク領域に位置する。
【００５２】
図１１に示す撮影動作時には、上述のシャッタレリーズレバー２２０は、ミラー駆動縦レバー２０１のカム部２０１ａによる最大リフト位置にある。シャッタの係止を解除するタイミングは、前記ミラー駆動縦レバー２０１の所定の作動角で行われるようにカム部２０１ａの形状が設定されている。
一方、絞りを係止する係止爪３０７は、制御される絞り値に相当する位置でラチェット３０４を係止する。
【００５３】
図１２は、プレビュースイッチ機構部の構成を示す図であり、（ａ）は、非操作時の、また（ｂ）は操作時の状態を示す。
プレビュー釦１６ａはボディ外装等の基板に軸支され、抜け止めのＥリング１６ｃを備えている。このプレビュー釦１６ａの先端部１６ｂに第１切片１６ｄが当接するようにプレビュースイッチが構成されており、非操作時は第１切片１６ｄと第２切片１６ｅとはオ−プン（Ｈｉ）状態となっている。また、第１切片１６ｄは、プレビュー釦１６ａをボディ外側に押し出す方向に付勢している。
【００５４】
図１３は、絞り制御用ソレノイド、プレビューマグネットの通電時の状態を示す図である。
絞り制御用ソレノイド２０に通電がなされると、絞り制御用係止爪３０７は一端の３０７ｂに掛けられた係止爪作動バネ３０８の付勢力によって左旋され、ラチェット３０４を係止し、絞りレバーを設定位置に係止する。この時、スライドレバー３１４との間には、係止爪３０７の係止動作が可能なように、且つリセットタイミングが所定のタイミングになるような隙間が確保されている
一方、プレビューマグネット１７に通電がなされると、プレビュー係止レバー４０１はバネ４０３の付勢力により右旋される。その動作に伴い、プレビュー係止レバー４０１とプレビュー駆動レバー４０６との係合が解除され、バネ４０７の付勢力により、プレビュー駆動レバー４０６も右旋される。
【００５５】
図１４は、プレビュー動作時であって、ミラー係止機構の動作時の状態を示す図である。
プレビュー釦１６ａの押し込み動作により、プレビュースイッチ１６から信号が送られると、図１３に示すプレビューマグネット１７による係止が解除されてプレビュー係止レバー４０１が解除される。続いてプレビュー駆動レバー４０６が右旋され、その右旋に伴ってミラー係止スライドレバー５０１が上方へスライド動作を開始し、そのスライド動作によって、ミラー係止レバー５０３が右旋する。そして、ミラー係止レバー５０３のフック５０３ｃがミラー押し上げレバー２１０に配置された押し上げレバー係止用のピン２１２に覆い被さるような状態になる。（図１４に示す状態）
この時、ミラー係止スライドレバー５０１の上方へのスライド動作中に、ミラー係止スイッチ１８がＬｏ（クロ−ズ）に切り替わる。この信号を受けてプレビュー動作が開始される。シーケンスモータ１３に通電してからのシーケンスは、通常のレリーズ時と同様に、シーケンス駆動系のミラー駆動レバー１２１の先端部１２１ｂによってミラー駆動縦レバー２０１が右旋動作させられることによって、ミラーアップ動作、絞り制御動作、シャッタレリーズ動作の３つの動作が行われる。しかしながら、ミラー押し上げレバー２１０に配置された押し上げレバー係止用のピン２１２がミラー係止レバー５０３によって押さえ込まれていることで、ミラー押し上げレバー２１０がミラー駆動ピン２０９を押し上げることなく、ミラーアップされない。これに加え、プレビュー動作時には、シャッタの秒時制御用電磁マグネットへ通電し続けることにより、シャッタ羽根の駆動を禁止している。
【００５６】
これにより、通常レリーズ時と同じチャージカム１０２のミラーアップ／絞り駆動区間である第１区間の動作でミラーアップを禁止し、絞り制御のみを行うことでプレビュー動作を達成している。
図１５は、ミラー係止機構の動作時の状態を示す図である。
ミラー押し上げレバー２１０に配置された押し上げレバー係止ピン２１２に覆い被さるように、ミラー係止レバー５０３の先端部５０３ｃが配置される。
【００５７】
図１６は、絞りリセット機構部、プレビュー機構部のリセット動作終了直前の状態を示す図である。
チャージカム１０２の第２区間の左旋動作に伴ってシャッタチャージレバー１１６が右旋させられることにより、レバー１１６の係合部１１６ａによってリセットレバー３００が右旋させられる。
【００５８】
絞りリセット動作は、リセットレバー３００のバネ３１５により、リセットスライドレバー３１４の引っかけ部３１４ｃで係止爪リセットピン３０９を引き上げる。これにより係止爪３０７が右旋し、端部３０７ｃが絞り制御用ソレノイド２０に吸着保持されることで初期位置にリセットされる。
プレビュー機構部のリセットは、絞りリセットレバー３００に配置されているプレビュー駆動レバーリセット用のピン３１２とプレビュー係止レバーリセット用のピン３１１によって、それぞれプレビュー係止レバー４０１はバネ４０３を介し、プレビュー駆動レバー４０６はカム部４０６ｂによって左旋させられ、係止部４０１ｂと係止部４０６ａとが互いに係止された状態でプレビューマグネット１７に吸着され保持されることで初期位置にリセットされる。
【００５９】
次に、図１７〜図１９を用いて、以上の動作の説明をする。
図１７は、通常撮影動作時の各構成の動作を示すタイムチャ−トである。
レリーズが行われると、シーケンスモータ１３に通電が開始されると同時にシャッタの秒時を制御する先幕マグネットＭｇ１、及び後幕マグネットＭｇ２にそれぞれ通電され、メカ的な係止が解除されても、シャッタ羽根が走行しないように備える。
【００６０】
シーケンスカム１０２の上記第１区間の作動中に絞りの絞り込みが行われ、絞り制御用ソレノイド２０に通電されすることにより、制御絞り値に相当する位置に絞りレバーを係止させる。チャージカム１０２の第１区間の動作終了と同期してシーケンススイッチ１４がオンしたことを受け、シーケンスモータ１３への通電を遮断し、シーケンススイッチ１４の反転から所定時間経過後に先幕マグネットＭｇ１への通電を解除してシャッタ先幕を走行した後、今度は制御シャッタ秒時に応じた時間後に後幕マグネットＭｇ２への通電を解除してシャッタ後幕を走行させる。後幕走行によって後幕スイッチがＬｏになったことを表す信号を受け、第１区間完了時に、チャージカム１０２を係止した係止レバー１０３を解除するためにシーケンスソレノイド１５に通電する。その動作に連動してシーケンススイッチ１４がＨｉに切り替わり、その信号を受けてシーケンスモータ１３への通電を開始してミラーダウン／シャッタチャージ区間である第２区間の動作が開始される。
【００６１】
シャッタチャージ動作中に後幕スイッチが復帰し、絞り制御機構のリセットが行われチャージカム１０２の所定動作角回転と同時にシーケンススイッチ１４がＬｏに切り替わったことを受けてシーケンスモータ１３を停止する。そして、次回のレリーズを待機するためにシーケンスソレノイド１５に通電して係止レバー１０３を解除させ、シーケンススイッチ１４をＨｉに切り替え、１つのシーケンスを終了する。
【００６２】
図１８は、通常のプレビュー動作時の各構成の動作を示すタイムチャ−トである。
プレビュー釦１６ａが操作され、プレビュースイッチ１６がＬｏに切り替わることによってミラー係止マグネットに通電がなされると、その動作に連動してミラー係止スイッチ１８がＬｏに切り替わる。これに一瞬送れてミラー係止レバー５０３によるミラー係止が完了する。その作動の遅れ時間として所定時間だけ遅れて、通常撮影レリーズ時と同様にシーケンスモータ１３によりシーケンスカム１０２の第１区間の動作が開始される。絞り制御動作が行われ、シーケンスカム１０２の所定作動角の動作が終了してシーケンススイッチ１４がＬｏに切り替わった後もシャッタは動作されず、先幕マグネットＭｇ１、後幕マグネットＭｇ２の通電が保持され、後幕スイッチの状態は維持されたままである。
【００６３】
尚、通常撮影動作時は、シーケンススイッチ１４がＬｏであることを検出すると、シーケンスソレノイド１５に通電して係止レバーを解除することによってシーケンススイッチ１４をＨｉに復帰させるが、ここでは行われない。
撮影者がプレビューを終了させプレビュー釦１６ａから指を離すことでプレビュースイッチ１６がＨｉ状態に復帰する。その信号を受けてシーケンスマグネットに通電が行われ、シーケンススイッチ１４がＨｉに復帰することでシーケンスモータ１３に通電が開始される。
【００６４】
この時、シャッタの先幕マグネットＭｇ１、後幕マグネットＭｇ２は通電を保持されたままであり、シーケンススイッチ１４がチャージ終了でＬｏに切り替わるまでこの状態が維持される。
その後は、通常撮影時と同様に、シーケンスモータを停止して次回のレリーズを待機するためにシーケンスマグネットに通電して係止レバー１０３を解除し、シーケンススイッチ１４をＨｉに切り替え、１つのシーケンスを終了する。
【００６５】
図１９は、プレビュー釦を一瞬だけ押し込んで離す、所謂「チョン押し」を行った場合の各構成の動作を示すタイムチャ−トである。
プレビュー釦１６ａが一瞬押し込まれプレビュースイッチ１６がＬｏに切り替わると、通常のプレビュー動作時と同様にプレビュー動作が開始される。一連の動作が行われ、シーケンススイッチ１４がＬｏに切り替わったときには、既に撮影者はプレビュー動作を終了させており、プレビュースイッチ１６がＨｉに切り替わっている。この場合は、シーケンススイッチ１４がＬｏで、且つプレビュースイッチ１６がＨｉであることを条件にシーケンススイッチ１４をＨｉにして、その後は通常のプレビュー動作時と同様に動作を完了させる。
【００６６】
【発明の効果】
以上述べたように本発明では、プレビュー機構の動作を起動するスイッチ手段が操作された場合に第２機構（クイックリターンミラー駆動機構）の動作を禁止し、スイッチ手段を操作しない場合は第２機構の動作を実行可能とする切換手段を備え、カム部材の一領域に関する動作の実行中に、プレビュー機構の動作と、第２機構の動作とを選択的に行う構成としたため、カム部材の作動角領域を多数に分割する必要がなくなり部品の加工性が良く安価なプレビュー機構を有するカメラを提供することができる。
また、カム部材の一領域に関する動作の実行中に、プレビュー機構の動作と、第２機構の動作とを選択的に行うことが可能となるため、正確な絞り込み制御が可能で、連続撮影時に撮影駒速を高速にすることが可能なプレビュー機構を有するカメラを提供することが可能となる。
【図面の簡単な説明】
【図１】  本発明の実施の形態によるプレビュー機構を備えたカメラの概略的な構成を示すブロック図。
【図２】  本発明の実施の形態に係るカメラの内部構成の概略的な配置を示す図であり、図１に示す各モータの配置を概略的に示している。
【図３】  本発明の実施の形態によるプレビュー機構を備えたカメラのシーケンス駆動系の、レリーズ待機状態時の様子を示す平面図。
【図４】  チャージカムが図３に示す基準位置にあるときの、ミラー駆動レバーの状態を示す図。
【図５】  本願発明の実施の形態によるプレビュー機構を備えたカメラのシーケンス駆動系の、ミラーアップ完了状態の様子を示す平面図。
【図６】  図５に示すミラーアップ完了状態におけるミラー駆動レバーの作動状態を示す図。
【図７】本実施例におけるシーケンス駆動系の各作動状態の平面図
【図８】  図７に示すシャッタチャージ完了状態におけるミラー駆動レバーの状態を示す図。
【図９】  本発明の実施の形態によるカメラのミラー駆動部、絞り制御部、ミラー係止機構部の動作前の初期状態を示す図。
【図１０】  本発明の実施の形態によるカメラの絞りリセット機構部、プレビュー機構部の動作前の初期状態図を示す図。
【図１１】  本発明の実施の形態によるカメラのミラー駆動系、絞り制御系の通常撮影時の動作状態を示す図。
【図１２】  本発明の実施の形態によるカメラのプレビュースイッチ機構部の構成を示す図であり、（ａ）は、非操作時の、また（ｂ）は操作時の状態を示す。
【図１３】  本発明の実施の形態によるカメラの絞り制御用ソレノイド、プレビューマグネットの通電時の状態を示す図。
【図１４】  本発明の実施の形態によるカメラのプレビュー動作時であって、ミラー係止機構の動作時の状態を示す図。
【図１５】  本発明の実施の形態によるカメラのミラー係止機構の動作時の状態を示す図。
【図１６】  本発明の実施の形態によるカメラの絞りリセット機構部、プレビュー機構部のリセット動作終了直前の状態を示す図。
【図１７】  本発明の実施の形態によるカメラの通常撮影動作時の各構成の動作を示すタイムチャ−ト。
【図１８】  本発明の実施の形態によるカメラの通常のプレビュー動作時の各構成の動作を示すタイムチャ−ト。
【図１９】  本発明の実施の形態によるカメラのプレビュー釦を一瞬だけ押し込んで離す、所謂「チョン押し」を行った場合の各構成の動作を示すタイムチャ−ト。
【符号の説明】
１３  シーケンスモータ
１０２  チャージカム
２０１  ミラー駆動縦レバー
２０３  絞りレバー
２０３ｂ  ギア部
２０７  ミラー（クイックリターンミラー）
２０９  ミラー駆動用のピン
２１０  ミラー押し上げレバー
２１２  押し上げレバー係止ピン
３０１〜３０３  減速ギア
３０４  絞り制御用ラチェットギア
３０５  スリット板
３０６  フォトインタラプタ
３０７  絞り制御用係止爪
５０３  ミラー係止レバー
５０３ｃ  フック
【図１】
0004228126.tif 000002
【図２】
0004228126.tif 000003
【図３】
0004228126.tif 000004
【図４】
0004228126.tif 000005
【図５】
0004228126.tif 000006
【図６】
0004228126.tif 000007
【図７】
0004228126.tif 000008
【図８】
0004228126.tif 000009
【図９】
0004228126.tif 000010
【図１０】
0004228126.tif 000011
【図１１】
0004228126.tif 000012
【図１２】
0004228126.tif 000013
【図１３】
0004228126.tif 000014
【図１４】
0004228126.tif 000015
【図１５】
0004228126.tif 000016
【図１６】
0004228126.tif 000017
【図１７】
0004228126.tif 000018
【図１８】
0004228126.tif 000019
【図１９】
0004228126.tif 000020